(57)【要約】【課題】本発明は、リアルタイムで様々な映像を縦長ディスプレイにポスター広告として表示して絶大な広告効果を発揮する表示装置並びに表示装置を用いた広告方法を提供するものである。【解決手段】ＴＶ受像器，ＶＴＲ，ＤＶＤ，カメラ等の映像送出装置１からリアルタイムで出力される映像信号を入力する入力部２と、この入力部２からリアルタイムで入力される前記映像信号をメモリに書き込み、この書き込んだ画像データを、９０度（２７０度を含む）回転したアドレスで読み出すことによって、この画像を９０度回転し得る９０度画像回転処理部５と、横長ディスプレイ若しくはこの横長ディスプレイを９０度回転させて縦長に設置した縦長ディスプレイ６に前記映像信号を出力する出力部３とから成り、前記映像送出装置１から出力される映像信号を前記９０度画像回転処理部５により９０度回転させた映像信号としてリアルタイムで前記横長若しくは縦長ディスプレイ６に送出表示し得るように構成したものである。【選択図】        図１
2004240118.tif 000002
【特許請求の範囲】
【請求項１】
ＴＶ受像器，ＶＴＲ，ＤＶＤ，カメラ等の映像送出装置からリアルタイムで出力される映像信号を入力する入力部と、この入力部からリアルタイムで入力される前記映像信号をメモリに書き込み、この書き込んだ画像データを、９０度（２７０度を含む）回転したアドレスで読み出すことによって、この画像を９０度回転し得る９０度画像回転処理部と、横長ディスプレイ若しくはこの横長ディスプレイを９０度回転させて縦長に設置した縦長ディスプレイに前記映像信号を出力する出力部とから成り、前記映像送出装置から出力される映像信号を前記９０度画像回転処理部により９０度回転させた映像信号としてリアルタイムで前記横長若しくは縦長ディスプレイに送出表示し得るように構成したことを特徴とする表示装置。
【請求項２】
ＴＶ受像器，ＶＴＲ，ＤＶＤ，カメラ等の映像送出装置からリアルタイムで出力される映像信号を入力する入力部と、この入力部からリアルタイムで入力される前記映像信号をメモリに書き込み、この書き込んだ画像データを、９０度（２７０度を含む）回転したアドレスで読み出すことによって、この画像を９０度回転し得る９０度画像回転処理部と、横長ディスプレイ若しくはこの横長ディスプレイを９０度回転させて縦長に設置した縦長ディスプレイに前記映像信号を出力する出力部とから成り、前記メモリに書き込んだ画像データの所定部分を読み出すことで、前記映像送出装置からの映像信号の所定部分を切り出したトリミング映像信号を作成し、このトリミング映像信号を前記出力部から前記ディスプレイに出力し得るように構成した画像切り出し部を備え、前記映像送出装置から出力される映像信号を前記９０度画像回転処理部及び画像切り出し部により９０度回転させたトリミング映像信号としてリアルタイムで送出表示し得るように構成したことを特徴とする表示装置。
【請求項３】
前記画像切り出し部は、前記映像送出装置から出力される映像信号の所定部分を縦長に切り出したトリミング映像信号を作成し、このトリミング映像信号を前記出力部から前記横長ディスプレイ若しくはこの横長ディスプレイを９０度回転させて縦長に設置した縦長ディスプレイに出力し得るように構成したことを特徴とする請求項２に記載の表示装置。
【請求項４】
前記画像切り出し部は、前記映像送出装置から出力される映像信号の略中央部を切り出したトリミング映像信号を作成し、このトリミング映像信号を前記出力部から前記横長ディスプレイ若しくはこの横長ディスプレイを９０度回転させて縦長に設置した縦長ディスプレイに出力し得るように構成したことを特徴とする請求項２に記載の表示装置。
【請求項５】
前記画像切り出し部は、前記映像送出装置から出力される映像信号を切り出したトリミング映像信号を前記横長ディスプレイ若しくはこの横長ディスプレイを９０度回転させて縦長に設置した縦長ディスプレイに拡大して表示し得るように構成したことを特徴とする請求項２〜４のいずれか１項に記載の表示装置。
【請求項６】
前記画像切り出し部は、横長ディスプレイを９０度回転させて縦長に設置した縦長ディスプレイの画像表示可能範囲全体を略占有するように、前記映像送出装置から出力される映像信号の所定部分を縦長に切り出したトリミング映像信号を拡大して表示し得るように構成したことを特徴とする請求項２〜５のいずれか１項に記載の表示装置。
【請求項７】
前記映像送出装置から出力される映像信号の走査方式を順次走査方式に変換する走査方式変換部を備えたことを特徴とする請求項１〜６のいずれか１項に記載の表示装置。
【請求項８】
前記入力部に入力される前記映像送出装置からの映像信号を量子化する量子化部を備え、この量子化された映像信号を順次走査方式に変換若しくは９０度回転させた後順次走査方式に変換するように前記走査方式変換部を構成し、前記９０度画像回転処理部からの映像信号若しくは前記走査方式変換部からの映像信号をアナログ信号化するアナログ信号化部を備え、この９０度回転させた順次走査方式の映像信号若しくは合成データ信号をアナログ信号化した映像信号が前記出力部から出力されるように構成したことを特徴とする請求項７に記載の表示装置。
【請求項９】
ＴＶ受像器，ＶＴＲ，ＤＶＤ，カメラ等の映像送出装置からリアルタイムで出力される映像信号による画像を９０度（２７０度を含む）回転させた順次走査方式の映像信号を出力する表示装置を用い、この表示装置からリアルタイムで出力される９０度回転した映像信号を、プラズマディスプレイや液晶ディスプレイなどの壁掛け可能な薄型の横長カラーディスプレイを９０度回転させて縦長に設置する薄型縦長カラーディスプレイに、リアルタイムで送出表示して、映像装置からの映像がリアルタイムで表示される前記薄型縦長カラーディスプレイによってポスター広告を行うことを特徴とする表示装置を用いた広告方法。
【請求項１０】
前記表示装置を前記請求項１〜８のいずれか１項に記載の表示装置とし、前記映像送出装置からの映像がリアルタイムで表示される前記薄型縦長カラーディスプレイによってポスター広告を行うことを特徴とする請求項６に記載の表示装置を用いた広告方法。
【発明の詳細な説明】
【０００１】
【発明の属する技術分野】
本発明は、横長のディスプレイを縦に向きを変えて縦長ディスプレイとし、この縦長ディスプレイにリアルタイムで映像送出装置からの映像を表示する表示装置並びに表示装置を用いた広告方法に関するものである。
【０００２】
【従来の技術及び発明が解決しようとする課題】
ＴＶ受像器，ＶＴＲ，ＤＶＤ，カメラ等の映像装置の技術革新は目覚ましく、またこれに伴うディスプレイの技術革新も目覚ましく日々進歩を遂げている。
【０００３】
特に近年プラズマディスプレイの開発・実用化によって、大型にして薄型なディスプレイに鮮明な映像を映し出すことが可能となり、まだまだ高価ではあるものの、画像表示技術は飛躍的進歩を遂げるに至っている。
【０００４】
このようなプラズマディスプレイを例えば壁に掛けたり、埋め込んだりして、スペースをとることなく大画面の迫力ある映像を鮮やかに映し出すことは可能となったが、広告手段としてはまだ今一歩その成果を挙げるに至っていない。
【０００５】
即ち、文字放送や文字データとの合成により映像画面に文字を重ねたり、映像画面の脇に文字テロップを表示したりして、鮮明に動画コマーシャルを映し出しながら広告文を表示させることは既に試みられているが、広告効果はなかなか挙がっていない。
【０００６】
従って、家庭のみならず、店舗や駅・空港・街角など公衆の集まるところに例え大型のプラズマディスプレイを設置して鮮やかな広告画像を映し出しても、美しい大型画面故にこの画像を一時注目させることはできても、広告内容に興味をひかせる程まで注目させるには至っていない。
【０００７】
このような現状に着目し、検討・研究を重ねた結果、横長ディスプレイに表示していることがその大きな原因であることを出願人は見出したのである。
【０００８】
即ち、これまでの画像表示技術は、映画のような横長画面が人間の視野に近いとし、できる限り写真のようにきれいな鮮明画像を実現すると共にワイドな横長画像の表示手法に力を注いできている結果、今日のほとんどの最新ディスプレイは横長ディスプレイとなっている。
【０００９】
従って、高価ではあるが、大型・薄型であって鮮明に迫力ある画像を提供できるプラズマディスプレイも、横長ディスプレイがほとんど全てであると言っても過言ではない。
【００１０】
しかし、この横長ディスプレイを用いて広告しても、確かにきれいではあっても広告効果は挙がらない。
【００１１】
つまり、見る者にとってはこれまでの通常観念（潜在意識）からよほど興味深い広告でない限り、広告画像が横長ディスプレイに映し出されていれば、それは単なるテレビ放送か、ＶＴＲが流されているという意識しか生じず、注目することはなく、仮に特別なコマーシャル映像が映し出されていても、単なるテレビコマーシャルが流れているという意識に留まり、テレビ放送（テレビコマーシャル）以上の広告効果は生じないのである。
【００１２】
そこで、最新画像表示技術の粋たるプラズマディスプレイを用いてもこのような原因で広告効果が期待できないという問題点を見出した出願人は、横長ディスプレイをあえて向きを変えて縦長にし、この向き変えによる縦長ディスプレイに広告を映し出すことを考えた。
【００１３】
この縦長ディスプレイに広告を映し出す広告手法は予想以上に絶大な広告効果があることがわかり、出願人自らその効果に驚いているのが現状である。
【００１４】
即ち、いわゆるポスター広告効果が発揮され、ポスター広告の広告能力がいかに絶大かが改めて認識されることになったのである。
【００１５】
現在の広告ポスターのほとんどは縦長であり、その潜在意識のために縦長の広告画像は、一目で目に飛び込み、広告だと認識でき、注目されるのである。
【００１６】
従って、縦長に広告を表示すると、それが動画であっても、単なるテレビ放送やテレビコマーシャルではなく、広告映像が映し出されている広告ポスターとして目に飛び込み、脳に焼き付けられる程注目させられ、画像の美しさと動画のアピールとによって、広告情報が瞬時に伝わるのである。
【００１７】
このポスター広告を薄型プラズマディスプレイで行えれば、その薄型故の機動性と鮮明な美しさとによって更に広告効果は絶大となるのである。
【００１８】
しかし、既にこのポスター広告効果に着目し、横長ディスプレイを縦にした縦長ディスプレイにパソコンで生成した編集広告映像を映し出したり、また動画も合成して映し出すために、ＤＶＤやＶＴＲの映像信号をパソコンに一旦取り込み、パソコンソフトによって画像を９０度回転させて、たとえ横長を縦にした縦長ディスプレイに表示しても画像もこの９０度回転処理によって横長ディスプレイに映し出すのと同じように正しい向きに表示できる広告手段も既に実用化されつつある。
【００１９】
しかしながら、このパソコンに一旦取り込んでパソコンによって９０度画像を回転して表示する方式では、リアルタイムに様々な映像を縦長ディスプレイに表示し、適宜映像を選択・切り替え表示することはできない。
【００２０】
つまり、パソコンによる９０度回転変換ソフトを用いて回転加工し、これを編集して縦長ディスプレイに表示する方式は、結果として動画を横長ディスプレイを縦にした縦長ディスプレイに、ポスター広告のように表示できることにはなるが、常に事前に取り込み加工しなければならず、時間と手間を要する（しかも、時間や手間を要するだけでなく、このパソコンによる加工によってせっかくの画像の鮮明度は著しく劣化してしまう。）。
【００２１】
従って、従来、横長ディスプレイの向きを変えて縦長のディスプレイとし、この縦長ディスプレイに映像を映し出すにはソフトによる事前加工を必要とするために、リアルタイムで映像をポスター広告表示できないのである。
【００２２】
即ち、リアルタイムで映し出すことができないため、この映像を別の映像に切り替える、例えば、ＤＶＤプレイヤーやＶＴＲプレイヤーの画像を再生表示する場合に、ＤＶＤソフトやビデオテープを取り替えるだけで映像を他の映像に変えたり、ＴＶ放送に変えたり、放送チャンネルを変えたり、あるいは現在のある場所のカメラ映像に切り替えたりすることは不可能であり、このような切り替えをその場で自由に行え、その映像をリアルタイムで表示し続けることはできないのである。
【００２３】
一方、そもそも縦長の映像ソースを多数入手すれば良いことになるが、このような映像はほとんど現存していなく、また、撮影カメラを縦にして映像を作ることも可能であるが、これもコストがかかり、容易ではない。
【００２４】
これに対し、ほとんどの放送映像も、ＤＶＤやＶＴＲの既存ソフトも横長ディスプレイ用の映像である。
【００２５】
本発明は、上述のような現状に鑑み、既存の横長ディスプレイ、例えば、大型・薄型にして鮮明に映像を映し出す横長のプラズマディスプレイを縦に向きを変えて設置することで、縦長ディスプレイを容易に実現でき、この簡易な手法で安手した縦長ディスプレイに映像装置からの映像信号をリアルタイムで９０度回転処理して出力してこの９０度回転処理した画像データをリアルタイムで表示することで、横長画面（横長ディスプレイ）ではどうしても実現することができない広告効果、即ち、縦長表示によるポスター広告効果による絶大な注目効果を発揮する広告媒体を容易に実現できる。
【００２６】
しかも、例えば、ゴルフのスイング練習等、人の全身像を撮影するためにビデオカメラを９０度回転させて撮影した映像を家庭で鑑賞する場合には、この人の全身像は通常の家庭用ＴＶ（横長ディスプレイ）に９０度回転して横向きで表示されるため、対応して前記家庭用ディスプレイを９０度回転させなければ非常に見づらい映像となるが、このような映像であっても９０度回転処理することで家庭用ＴＶを回転させる必要なく正しい画面向きで家庭用ＴＶに表示して良好に鑑賞することができるし、例えばメモリに書き込んだ画像データの所定部分を読み出すように構成することで、前記縦長ディスプレイに映像送出装置からの映像信号の内、例えば特定の人物だけを残したトリミング映像信号を作成し、前記大型縦長ディスプレイにこの特定の人物を拡大表示したりして好みに応じて映像の構図を整えて楽しむこともでき、更に、前記映像信号の内、重要な被写体だけをディスプレイ全体を使って余白スペースなく表示できるから、縦長ディスプレイとしたことにより発揮される注目効果と相俟って、パソコン等を用いてソフトウェアによる加工の必要なしに、極めて容易且つコスト安なハード構成によって今まで実現できなかった画期的な映像を実現でき、例えばポスター広告として絶大な広告効果を期待できることになる極めて画期的で実用的な表示装置並びに表示装置を用いた広告方法を提供するものである。
【００２７】
【課題を解決するための手段】
添付図面を参照して本発明の要旨を説明する。
【００２８】
ＴＶ受像器，ＶＴＲ，ＤＶＤ，カメラ等の映像送出装置１からリアルタイムで出力される映像信号を入力する入力部２と、この入力部２からリアルタイムで入力される前記映像信号をメモリに書き込み、この書き込んだ画像データを、９０度（２７０度を含む）回転したアドレスで読み出すことによって、この画像を９０度回転し得る９０度画像回転処理部５と、横長ディスプレイ若しくはこの横長ディスプレイを９０度回転させて縦長に設置した縦長ディスプレイ６に前記映像信号を出力する出力部３とから成り、前記映像送出装置１から出力される映像信号を前記９０度画像回転処理部５により９０度回転させた映像信号としてリアルタイムで前記横長若しくは縦長ディスプレイ６に送出表示し得るように構成したことを特徴とする表示装置に係るものである。
【００２９】
また、ＴＶ受像器，ＶＴＲ，ＤＶＤ，カメラ等の映像送出装置１からリアルタイムで出力される映像信号を入力する入力部２と、この入力部２からリアルタイムで入力される前記映像信号をメモリに書き込み、この書き込んだ画像データを、９０度（２７０度を含む）回転したアドレスで読み出すことによって、この画像を９０度回転し得る９０度画像回転処理部５と、横長ディスプレイ若しくはこの横長ディスプレイを９０度回転させて縦長に設置した縦長ディスプレイ６に前記映像信号を出力する出力部３とから成り、前記メモリに書き込んだ画像データの所定部分を読み出すことで、前記映像送出装置１からの映像信号の所定部分を切り出したトリミング映像信号を作成し、このトリミング映像信号を前記出力部３から前記ディスプレイに出力し得るように構成した画像切り出し部７を備え、前記映像送出装置１から出力される映像信号を前記９０度画像回転処理部５及び画像切り出し部７により９０度回転させたトリミング映像信号としてリアルタイムで送出表示し得るように構成したことを特徴とする表示装置に係るものである。
【００３０】
また、前記画像切り出し部７は、前記映像送出装置１から出力される映像信号の所定部分を縦長に切り出したトリミング映像信号を作成し、このトリミング映像信号を前記出力部３から前記横長ディスプレイ若しくはこの横長ディスプレイを９０度回転させて縦長に設置した縦長ディスプレイ６に出力し得るように構成したことを特徴とする請求項２に記載の表示装置に係るものである。
【００３１】
また、前記画像切り出し部７は、前記映像送出装置１から出力される映像信号の略中央部を切り出したトリミング映像信号を作成し、このトリミング映像信号を前記出力部３から前記横長ディスプレイ若しくはこの横長ディスプレイを９０度回転させて縦長に設置した縦長ディスプレイ６に出力し得るように構成したことを特徴とする請求項２に記載の表示装置に係るものである。
【００３２】
また、前記画像切り出し部７は、前記映像送出装置１から出力される映像信号を切り出したトリミング映像信号を前記横長ディスプレイ若しくはこの横長ディスプレイを９０度回転させて縦長に設置した縦長ディスプレイ６に拡大して表示し得るように構成したことを特徴とする請求項２〜４のいずれか１項に記載の表示装置に係るものである。
【００３３】
また、前記画像切り出し部７は、横長ディスプレイを９０度回転させて縦長に設置した縦長ディスプレイ６の画像表示可能範囲全体を略占有するように、前記映像送出装置１から出力される映像信号の所定部分を縦長に切り出したトリミング映像信号を拡大して表示し得るように構成したことを特徴とする請求項２〜５のいずれか１項に記載の表示装置に係るものである。
【００３４】
また、前記映像送出装置１から出力される映像信号の走査方式を順次走査方式に変換する走査方式変換部４を備えたことを特徴とする請求項１〜６のいずれか１項に記載の表示装置に係るものである。
【００３５】
また、前記入力部２に入力される前記映像送出装置１からの映像信号を量子化する量子化部８を備え、この量子化された映像信号を順次走査方式に変換若しくは９０度回転させた後順次走査方式に変換するように前記走査方式変換部４を構成し、前記９０度画像回転処理部５からの映像信号若しくは前記走査方式変換部４からの映像信号をアナログ信号化するアナログ信号化部９を備え、この９０度回転させた順次走査方式の映像信号若しくは合成データ信号をアナログ信号化した映像信号が前記出力部３から出力されるように構成したことを特徴とする請求項７に記載の表示装置に係るものである。
【００３６】
また、ＴＶ受像器，ＶＴＲ，ＤＶＤ，カメラ等の映像送出装置１からリアルタイムで出力される映像信号による画像を９０度（２７０度を含む）回転させた順次走査方式の映像信号を出力する表示装置を用い、この表示装置からリアルタイムで出力される９０度回転した映像信号を、プラズマディスプレイや液晶ディスプレイなどの壁掛け可能な薄型の横長カラーディスプレイを９０度回転させて縦長に設置する薄型縦長カラーディスプレイに、リアルタイムで送出表示して、映像装置からの映像がリアルタイムで表示される前記薄型縦長カラーディスプレイによってポスター広告を行うことを特徴とする表示装置を用いた広告方法に係るものである。
【００３７】
また、前記表示装置を前記請求項１〜８のいずれか１項に記載の表示装置とし、前記映像送出装置１からの映像がリアルタイムで表示される前記薄型縦長カラーディスプレイによってポスター広告を行うことを特徴とする請求項６に記載の表示装置を用いた広告方法に係るものである。
【００３８】
【発明の実施の形態】
好適と考える本発明の実施の形態（発明をどのように実施するか）を、図面に基づいてその作用効果を示して簡単に説明する。
【００３９】
本発明の表示装置に入力される映像信号は、メモリに書き込まれ、画像が９０度回転し、横長ディスプレイ若しくは前記横長ディスプレイを９０度回転させて縦長に設置した縦長ディスプレイ６に送出表示される。
【００４０】
即ち、リアルタイムで映像送出装置１から出力される映像信号がこの表示装置によって９０度（２７０度）回転されて前記横長若しくは縦長ディスプレイ６にリアルタイムで送出表示されることとなる。
【００４１】
従って、例えば既存の横長ディスプレイを単に縦向きにして設置するだけで縦長ディスプレイ６とすることができ、しかも、このようにして向きを変えた縦長ディスプレイ６に対してパソコン等のソフトウェアに一旦映像ソースを取り込んで画像回転処理をして編集することなく、単に映像送出装置１から出力されるリアルタイムの映像信号を、ハード構成により９０度回転させて出力することで、リアルタイムに縦長ディスプレイ６に送出し、正しい画面向きで表示できることになる。
【００４２】
また、上述のように、リアルタイムで前記映像送出装置１からの映像信号を表示できるため、自由に映像送出装置１の変更やチャンネル変更やＶＴＲやＤＶＤソフトの取り替え変更ができることになり、従って、どのような映像ソースにも簡単に切り替えでき、リアルタイムで様々な映像を横長ディスプレイを縦にした縦長ディスプレイ６に表示することができるようになる。
【００４３】
従って、例えば薄型のプラズマディスプレイを用い、これを縦にして設置することで、パソコン等により画像回転処理を行う必要なく９０度回転させた広告用動画を極めて簡単にリアルタイムに表示できるポスター広告を実現でき、このポスター広告によって横長ディスプレイでは決して得ることができない極めて絶大な広告効果を得ることができる。
【００４４】
また、単に横長ディスプレイ用の映像信号を９０度回転させて前記縦長ディスプレイ６に出力した場合、この映像の上部や下部には余白スペースが生じることになるため、従来は、広告用動画をリアルタイムで縦長ディスプレイ６に映し出し、上部や下部の余白スペースにはパソコン等で作成した広告画像データや文字データを合成して映し出すことで、余白スペースを有効に活用し、画期的な縦長広告を実現していた。
【００４５】
一方、本発明においては、例えば、縦長ディスプレイ６の画像表示可能範囲全体を略占有するように映像送出装置１からの映像を縦長ディスプレイ６に拡大して表示し得るように構成することで、従来のように、パソコン等により加工した画像を前記余白スペースに表示する必要なく、前記横長ディスプレイ用の映像信号を入力するだけで、前記縦長ディスプレイ６の画面に余白スペースなく前記広告用動画を表示することができる。
【００４６】
即ち、このようにパソコン等を用いて作成した映像を別途入力する必要がないため、この映像を加工する手間やパソコンの接続，操作が必要なく、一つの映像ソースで極めて容易に前記余白スペースを映像によって埋めることができるから、極めて扱いやすくコスト安となる。
【００４７】
また、例えば、ゴルフのスイング練習やダンスの練習等、この練習時の体の動きを撮影して後に自分でその動きを確認したい場合があるが、人の全身像をビデオカメラで撮影する場合には、通常の横長ディスプレイのアスペクト比、即ち、縦横比は３：４若しくは９：１６であることから、通常のビデオカメラで縦長像である人の全身像を撮影するには、ある程度離れた距離から撮影しなければならず、特定の人の全身像を前記横長ディスプレイの画像表示可能範囲を有効に活用して（大きく明確に）表示することができない。
【００４８】
そこで、上述のような場合には、従来は前記カメラを９０度回転させて人の全身像を撮影していたが、この映像は当然ながら横長ディスプレイに表示すると９０度回転して表示されることになり、正しい画面向きには表示されないため、この映像を家庭用ＴＶで良好に鑑賞するためには、前記ＴＶの向きを９０度回転させて縦長として鑑賞する必要がある。
【００４９】
しかし、家庭においてＴＶを前記撮影した映像を鑑賞する度に９０度回転させる必要があるのでは、煩わしさは避けられない。
【００５０】
この点、本発明は、ビデオカメラの向きを９０度回転して縦長として撮影することで９０度回転した映像が出力される場合でも、この９０度回転した映像を２７０度回転して例えば拡大して表示することができるから、横長ディスプレイにも正しい画面向きで表示することができ、家庭用ＴＶを回転させる必要なく前記カメラを回転させて撮影した映像を良好に鑑賞できることになる。
【００５１】
また、例えば、前記映像送出装置１からの映像信号をメモリに書き込み、この書き込んだ画像データを９０度回転処理する前（９０度回転処理した後でも良い）に、前記メモリに書き込まれた画像データの所定部分を読み出すことで、前記映像信号の所定部分を切り出したトリミング映像信号を作成し、このトリミング映像信号を出力部３から前記ディスプレイに出力し得るように構成した画像切り出し部７を備えることで、前記映像信号の中から不要な映像を除いて構図が整えられたトリミング映像を前記縦長ディスプレイ６に表示することができる。
【００５２】
従って、上述したように、一般的なビデオカメラは横長ディスプレイ用であるため、前記横長ディスプレイのアスペクト比から、縦長像である人物の全身像を撮影するには、ある程度離れた位置から撮影しなければならず、特定の人物の全身像を撮影する場合に、たとえその人物以外の映像が不要であったとしても、その人物以外の映像、即ち、横長であるために前記人物の左右方向にある被写体が一緒に撮影され、最も強調したい画（ポイント）が曖昧になるおそれがあるが、この映像のうち不要な部分を除いて構図を整えたトリミング映像信号として前記ディスプレイに出力することができる。即ち、前記映像信号の内、真に必要な映像だけを前記ディスプレイに表示できることになる。
【００５３】
しかも、例えば前記画像切り出し部７を、前記映像送出装置１から出力される横長ディスプレイ用の映像信号の所定部分を、縦長に切り出したトリミング映像信号を作成し、前記ディスプレイに拡大して表示するように設定することで、縦長ディスプレイ６の画面に不要な映像を除いた縦長トリミング映像信号を拡大表示することができることになり、従来より極めて明確に人物の全身像等の縦長像を表示することができる。
【００５４】
更に、例えば前記画像切り出し部７を、前記映像信号の略中央部を切り出したトリミング映像信号を作成し、前記ディスプレイに拡大表示するように設定することで、一般に最も重要度の高い映像が表示される前記映像信号の中央部を常に縦長ディスプレイ６に拡大表示できることになり、映像のポイントをより明確化した画期的な映像を構成できることになる。
【００５５】
従って、前述したゴルフのスイング練習やダンスの練習若しくはファッションショーのような、特定の人の全身像が特に重要な場合には、この特定の人だけを縦長ディスプレイ６の画面全体に拡大表示できることになり、今まで多くの要望がありながらも実現できなかった画期的な映像を実現でき、この映像は広告映像として絶大な広告効果を発揮できるだけでなく、例えば娯楽映像の価値を更に高めることができる。
【００５６】
よって、本発明は、例えば、大型・薄型にして鮮明に映像を映し出す横長のプラズマディスプレイを縦に向きを変えて設置することで、縦長ディスプレイを容易に実現でき、この簡易な手法で安手した縦長ディスプレイに映像送出装置からの映像信号をリアルタイムで９０度回転処理して出力してこの９０度回転処理した画像データを前記縦長ディスプレイにリアルタイムで表示することで、横長画面（横長ディスプレイ）ではどうしても実現することができない広告効果、即ち、縦長表示によるポスター広告効果による絶大な注目効果を発揮する広告媒体を容易に実現できる。
【００５７】
しかも、例えば、ゴルフのスイング練習等、人の全身像を撮影するためにビデオカメラを９０度回転させて撮影した映像を家庭で鑑賞する場合には、この人の全身像は通常の家庭用ＴＶ（横長ディスプレイ）に９０度回転して横向きで表示されるため、対応して前記家庭用ディスプレイを９０度回転させなければ非常に見づらい映像となるが、このような映像であっても９０度回転処理することで家庭用ＴＶを回転させる必要なく正しい画面向きで家庭用ＴＶに表示して良好に鑑賞することができるし、例えばメモリに書き込んだ画像データの所定部分を読み出すように構成することで、前記縦長ディスプレイに映像送出装置からの映像信号の内、例えば特定の人物だけを残したトリミング映像信号を作成し、前記大型縦長ディスプレイにこの特定の人物を拡大表示したりして好みに応じて映像の構図を整えて楽しむこともでき、更に、前記映像信号の内、重要な被写体だけをディスプレイ全体を使って余白スペースなく表示できるから、縦長ディスプレイとしたことにより発揮される注目効果と相俟って、パソコン等を用いてソフトウェアによる加工の必要なしに、極めて容易且つコスト安なハード構成によって今まで実現できなかった画期的な映像を実現でき、例えばポスター広告として絶大な広告効果を期待できることになる極めて画期的で実用的な表示装置並びに表示装置を用いた広告方法を提供できることとなる。
【００５８】
【実施例】
本発明の具体的な実施例について図面に基づいて説明する。
【００５９】
本実施例の表示装置は、ＴＶ放送やＶＴＲ，カメラ，パソコン等から出力される映像信号を、９０度（２７０度）回転させて横長ディスプレイ若しくはこの横長ディスプレイを９０度回転させて縦長とした縦長ディスプレイ６に出力するものである。
【００６０】
即ち、本実施例は、例えばポスターのような縦長の画面にするために９０度回転させて設置させた映像信号受像器（縦長ディスプレイ６）にＮＴＳＣテレビ映像を映出するために、ＮＴＳＣテレビ映像をリアルタイムに９０度回転させる表示装置であり、従来のようにソフトウェアを用いて画像を回転するのではなく、ハードウェアのみを使用し、リアルタイムに画像の回転を行うもので、例えば入力部２から入力された飛び越し走査方式のアナログ映像信号を、順次走査方式化回路で構成した走査方式変換部４で順次走査方式に変換し、その画像をメモリに書き込み、書き込んだ画像データを、９０度回転したアドレスで読み出すことによって、画像を回転させるように９０度画像回転処理部５を構成し、この順次走査方式の９０度回転させた映像を出力部３から縦長ディスプレイ６に出力させるように構成している。
【００６１】
具体的には、本実施例の表示装置では、ＴＶ受像器，ＶＴＲ，ＤＶＤ，カメラ，パソコン等の映像送出装置１の出力端子と接続され、この映像送出装置１からリアルタイムで出力される飛び越し走査方式の映像信号を入力する入力部２と、この入力部２からリアルタイムで入力される前記飛び越し走査方式の映像信号を量子化するデコーダ回路から成る量子化部８と、この量子化した映像信号を順次走査方式の映像信号に変換する順次走査方式化回路から成る走査方式変換部４と、このリアルタイムで順次走査方式に変換された映像信号による画像を９０度（２７０度を含む）回転させる９０度画像回転処理部５と、この９０度回転させた映像信号をアナログ信号化するＤ／Ａコンバータとから成るアナログ信号化部９と、このアナログ信号化した映像信号を出力する出力部３とを設け、この出力部３と横長の映像信号受像器（横長ディスプレイ）を９０度向きを変えて設置する縦長ディスプレイ６の入力端子とを接続し、リアルタイムに前記映像送出装置１から出力される映像信号を送出表示するように構成している。
【００６２】
また、本実施例においては、前記映像送出装置１からの映像を前記メモリに書き込み、このメモリに書き込んだ画像データの内、所定部分を残して他の部分は削除するように構成することで、前記縦長ディスプレイ６に画像送出装置１から出力される映像信号を、所定部分だけを残して構図を整えたトリミング映像信号として縦長ディスプレイ６に送出表示し得るように構成した画像切り出し部７を設けた構成としている。
【００６３】
この画像切り出し部７は、前記映像信号を縦長に切り出すように設定している。具体的には、通常の映像信号のアスペクト比（縦横比）は３：４若しくは９：１６であるが、この映像信号からアスペクト比４：３若しくは１６：９の縦長の映像信号を切り出すように設定している。
【００６４】
尚、前記画像データを縦長に切り出すのであれば、どんな切り出し方でも良いが、本実施例においては、前記画像データの縦の長さを変えずに横の長さを短くすることで縦長とし、この縦長の映像信号を切り出すように設定している。
【００６５】
また、画像切り出し部７は、前記切り出した縦長のトリミング映像信号を前記縦長ディスプレイ６の画面に拡大して表示し得るように構成している。具体的には、前記縦長ディスプレイ６の画像表示可能範囲全体を略占有するように表示し得るように構成している。
【００６６】
従って、前記縦長ディスプレイ６に余白スペースを生じさせることなく、映像を表示できることになり、従来のようにパソコン等によって複数の映像ソースを用いて加工した画像データを前記映像信号と合成して表示する必要なく、縦長ディスプレイ６の画面全体に人物の全身像を表示できることになり、今まで実現できなかった画期的な映像を構成することができる。
【００６７】
即ち、例えばこの画像切り出し部７を、常に前記メモリの指定された領域の画像データを残して他の領域の画像データを削除した上で読み出すことで、前記縦長ディスプレイ６にトリミング映像信号を送出表示するように構成すると、一般的に映像は中央部に最も重要な情報が表示されるものであるが、ポイントとなる被写体が常にディスプレイの同じ位置に表示される場合、例えばファッションショーの様に、重要な被写体（この場合にはモデル）が常に画面の中央部に表示される映像である場合には、この画像の中央部に対応する領域を指定することで、前記モデルの両脇に表示されるステージや観客等の不要な映像を除いてポイントとなるモデルだけを常に前記縦長ディスプレイ６に拡大して表示できることになる。
【００６８】
また、この画像切り出し部７を、例えば、指定した人物をサーチして常にこの人物だけを残して他の部分を削除したトリミング映像信号として前記縦長ディスプレイ６に送出表示するように構成しても良く、この場合、前記縦長ディスプレイ６に前記指定した人物だけを拡大表示できることになり、例えば常にディスプレイに好きな芸能人だけを前記縦長ディスプレイ６の画面全体に拡大表示するように設定することもできる。
【００６９】
更に具体的に本実施例の表示装置並びにこの表示装置を用いたポスター広告方法について説明する。
【００７０】
本実施例の表示装置では、ＴＶ受像器，ＶＴＲ，ＤＶＤ，カメラ等の映像送出装置１の出力端子と接続され、この映像送出装置１からリアルタイムで出力される飛び越し走査方式の映像信号を入力する入力部２と、この入力部２からリアルタイムで入力される前記飛び越し走査方式の映像信号を量子化するデコーダ回路から成る量子化部８と、この量子化した映像信号を順次走査方式の映像信号に変換する順次走査方式化回路から成る走査方式変換部４と、このリアルタイムで順次走査方式に変換された映像信号を画像データとしてメモリに書き込みこのメモリの所定領域に書き込まれた画像データを残して他の領域に書き込まれた画像データを削除することで前記映像信号の所定部分だけを切り出したトリミング映像信号とする画像切り出し部７と、このリアルタイムで順次走査方式に変換されたトリミング映像信号の画像を９０度（２７０度を含む）回転させる９０度画像回転処理部５と、９０度回転させたトリミング映像信号をアナログ信号化するＤ／Ａコンバータから成るアナログ信号化部９と、横長ディスプレイ若しくはこの横長ディスプレイを９０度向きを変えて設置する縦長ディスプレイ６に前記映像信号を出力する出力部３を設け、横長の映像信号受像器（横長ディスプレイ）を９０度向きを変えて設置する縦長ディスプレイ６の入力端子と前記出力部３とを接続し、リアルタイムの９０度回転させたトリミング映像信号を送出表示するように構成している。
【００７１】
即ち、本実施例では、リアルタイムのＮＴＳＣ映像信号を入力部２から取り入れ、ハードウェアのみで順次走査方式に変換し、９０度画像を回転し（９０度画像を回転させた後、順次走査方式に変換するように走査方式変換部３と９０度画像回転処理部５との配置を逆にしても良い。）、リアルタイムで縦長ディスプレイ６に送出表示するように構成している。
【００７２】
また、本実施例においては、前記画像切り出し部７により前記映像信号の切り出し（トリミング処理）を行った後、前記９０度画像回転処理部５により９０度回転処理を行っているが、９０度回転処理を行った後、トリミング処理を行うように構成しても良い。
【００７３】
尚、飛び越し走査方式とは、一つの画像を５２５本の走査線で表示するが秒間６０コマで伝送すると伝送量が多くなってしまうので、２コマで一つの画像を表示する、つまり、最初の一コマ目は１〜５２５の奇数本目を走査し、次の一コマで２〜５２４の偶数本目を走査するため、残像現象により見た目には秒間６０コマの動画を送っているように見え、伝送量は半分で済むという方式である。
【００７４】
順次走査方式とは、飛び越し走査を行わず、順次走査で６０コマ全て伝送するため、伝送量は多いがちらつきが少なくて済むという方式である。
【００７５】
順次走査化回路は、入力された飛び越し走査方式の映像信号を、順次走査方式に変換するように構成した。
【００７６】
また、９０度画像回転処理部５は、入力された飛び越し走査方式のアナログ映像信号を量子化して順次走査方式化回路により順次走査方式に変換し、この順次走査方式に変換された飛び越し走査方式の映像信号を画像データとして保存するメモリと、画像データをメモリの指定のアドレスであるメモリ書き込みアドレスに書き込み、指定のアドレスであるメモリ読み出しアドレスから読み込むためのアドレス発生回路とから成り、メモリから読み込む際に画像データを９０度回転させ、この回転画像出力（回転画像データ）をリアルタイムに画像メモリに書き込み、この回転画像データをアナログ信号化部９によりアナログ信号化して出力部３から縦長ディスプレイ６に表示できるように構成した。
【００７７】
アドレス発生回路は、書き込む際のメモリ書き込みアドレスと、読み込む際の９０度回転させた画像を置くメモリ読み出しアドレスを作成するように構成した。
【００７８】
また、本実施例では、このような表示装置からリアルタイムで出力される９０度回転したトリミング映像信号を、壁掛け可能な薄型の横長カラーディスプレイ（プラズマディスプレイを採用）を９０度回転させて縦長に設置する薄型縦長プラズマディスプレイに、リアルタイムで送出表示して、映像送出装置１からの映像がリアルタイムで表示される縦長プラズマディスプレイによってポスター広告を行うようにしている。
【００７９】
従って、前記大画面の縦長ディスプレイ６に、例えばファッションショーにおいて、モデルの周囲の不必要な映像を除いてこのモデルの全身像だけを（等身大で表示することもできる）余白スペースなく表示することで、見た者に極めて強く印象付けることができる今まで実現できなかった極めて画期的な広告映像が表示できることになる。
【００８０】
本実施例は、上述のように構成したから、ソフトウェアを用いておらず、ハードウェアのみで画像を回転させることができるため、オンエア映像やビデオテープ等の一般に流通している映像を加工せずに映像再生機にて再生した映像をリアルタイムに９０度回転することにより横長ディスプレイを縦にして縦長ディスプレイ６に表示可能にすると共に、９０度回転した映像の上部や下部に生じる余白スペースにもソフトウェアを用いることなく構図を整えたトリミング映像を拡大表示可能にするものである。
【００８１】
即ち、本実施例により構成される映像は、多数の人に対して宣伝するための広告映像としての利用だけでなく、嗜好に応じて映像を整えて個人的に楽しむための娯楽映像としての利用価値も極めて高いものとなる。
【００８２】
従って、本実施例は、大型・薄型にして鮮明に映像を映し出す横長のプラズマディスプレイを縦に向きを変えて設置することで、縦長ディスプレイを容易に実現でき、この簡易な手法で安手した縦長ディスプレイに映像送出装置からの映像信号をリアルタイムで９０度回転処理して出力してこの９０度回転処理した画像データを常に一旦画像メモリに書き込みこの画像メモリをリアルタイムで更新しつつこれを前記縦長ディスプレイにリアルタイムで表示することで、横長画面（横長ディスプレイ）ではどうしても実現することができない広告効果、即ち、縦長表示によるポスター広告効果による絶大な注目効果を発揮する広告媒体を容易に実現できる。
【００８３】
しかも、例えば、ゴルフのスイング練習等、人の全身像を撮影するためにビデオカメラを９０度回転させて撮影した映像を家庭で鑑賞する場合には、この人の全身像は通常の家庭用ＴＶ（横長ディスプレイ）に９０度回転して横向きで表示されるため、対応して前記家庭用ディスプレイを９０度回転させなければ非常に見づらい映像となるが、このような映像であっても９０度回転処理することで家庭用ＴＶを回転させる必要なく正しい画面向きで家庭用ＴＶに表示して良好に鑑賞することができるし、例えばメモリに書き込んだ画像データの所定部分を読み出すように構成することで、前記縦長ディスプレイに映像送出装置からの映像信号の内、例えば特定の人物だけを残したトリミング映像信号を作成し、前記大型縦長ディスプレイにこの特定の人物を拡大表示したりして好みに応じて映像の構図を整えて楽しむこともでき、更に、前記映像信号の内、重要な被写体だけをディスプレイ全体を使って余白スペースなく表示できるから、縦長ディスプレイとしたことにより発揮される注目効果と相俟って、パソコン等を用いてソフトウェアによる加工の必要なしに、極めて容易且つコスト安なハード構成によって今まで実現できなかった画期的な映像を実現でき、例えばポスター広告として絶大な広告効果を期待できることになる極めて画期的で実用的な表示装置並びに表示装置を用いた広告方法を提供できることとなる。
【００８４】
尚、本実施例においては特に映像送出装置１からＮＴＳＣ映像信号を出力した場合について詳述したが、本実施例における前記映像送出装置１とは、ＴＶ受像器，ＤＶＤ，ＶＴＲ，カメラ等のリアルタイムに映像信号を出力し得る映像装置と、パソコン等の映像信号を一旦取り込んでこの取り込んだ映像を送出し得る送出装置とを含む概念である。従って、本実施例はＮＴＳＣ映像信号に限らず、インターネット（ブロードバンド）を通じて配信される映像も有線・無線を問わず前記縦長ディスプレイ６に同様の構成で表示できる。
【００８５】
また、このように、前記送出装置を介して映像を送出する場合、この送出装置内で走査方式を変換するように構成することで、前記走査方式変換部４の必要なく前記縦長ディスプレイ６に上述と同様にして映像を表示することができる。
【００８６】
【発明の効果】
本発明は上述のように構成したから、大型・薄型にして鮮明に映像を映し出す横長のプラズマディスプレイを縦に向きを変えて設置することで、縦長ディスプレイを容易に実現でき、この簡易な手法で安手した縦長ディスプレイに映像送出装置からの映像信号をリアルタイムで９０度回転処理して出力してこの９０度回転処理した画像データを常に一旦画像メモリに書き込みこの画像メモリをリアルタイムで更新しつつこれを前記縦長ディスプレイにリアルタイムで表示することで、横長画面（横長ディスプレイ）ではどうしても実現することができない広告効果、即ち、縦長表示によるポスター広告効果による絶大な注目効果を発揮する広告媒体を容易に実現でき、しかも、例えば、ゴルフのスイング練習等、人の全身像を撮影するためにビデオカメラを９０度回転させて撮影した映像を家庭で鑑賞する場合には、この人の全身像は通常の家庭用ＴＶ（横長ディスプレイ）に９０度回転して横向きで表示されるため、対応して前記家庭用ディスプレイを９０度回転させなければ非常に見づらい映像となるが、このような映像であっても９０度回転処理することで家庭用ＴＶを回転させる必要なく正しい画面向きで家庭用ＴＶに表示して良好に鑑賞することができるし、例えばメモリに書き込んだ画像データの所定部分を読み出すように構成することで、前記縦長ディスプレイに映像送出装置からの映像信号の内、例えば特定の人物だけを残したトリミング映像信号を作成し、前記大型縦長ディスプレイにこの特定の人物を拡大表示したりして好みに応じて映像の構図を整えて楽しむこともでき、更に、前記映像信号の内、重要な被写体だけをディスプレイ全体を使って余白スペースなく表示できるから、縦長ディスプレイとしたことにより発揮される注目効果と相俟って、パソコン等を用いてソフトウェアによる加工の必要なしに、極めて容易且つコスト安なハード構成によって今まで実現できなかった画期的な映像を実現でき、例えばポスター広告として絶大な広告効果を期待できることになる極めて画期的で実用的な表示装置並びに表示装置を用いた広告方法を提供できることとなる。
【００８７】
また、請求項２〜６に記載の発明においては、より一層画期的な映像を実現できる一層実用性に秀れた表示装置となる。
【００８８】
また、請求項７，８に記載の発明においては、一層本発明を容易に実現できる一層実用性に秀れた表示装置となる。
【図面の簡単な説明】
【図１】本実施例の概略説明ブロック図である。
【図２】本実施例の使用状態を示す説明斜視図である。
【符号の説明】
１  映像送出装置
２  入力部
３  出力部
４  走査方式変換部
５  ９０度画像回転処理部
６  縦長ディスプレイ
７  画像切り出し部
８  量子化部
９  アナログ信号化部
【図１】
2004240118.tif 000003
【図２】
2004240118.tif 000004